(57)【特許請求の範囲】
【請求項１】
生体データを測定するためのバイオセンサーであって、
その内部に生体試料が注入され、前記生体試料と反応して、前記生体試料の生体データを測定するための測定レイヤと、
前記測定レイヤの下面下に位置し、前記生体試料の反応データを測定するための測定領域として露出された下部開放ウィンドウを備え、前記下部開放ウィンドウの周辺領域から上向き突出した下部突出部を備えた下部カバーと、
前記測定レイヤの上面上に位置し、血液を収容する血液収容レイヤと、収容された血液内の分析物と反応する反応レイヤと、前記血液収容レイヤ上に位置し、血液を印加することができる露出された上部開放ウィンドウを備えて、
前記上部開放ウィンドウの外郭から一定の距離離れて下部基板方向に突出して下部基板との間に備えた測定レイヤを下向き方向に圧着する上部突出部を備えた上部カバーを含み、
前記測定レイヤを挟んで、前記上部カバーと前記下部カバーとを互いに圧着することによって、前記測定レイヤの上面と上部カバーの下面と、前記上部突出部によって毛細管空間が形成され、
前記血液は、前記血液収容レイヤでは、垂直流れに移動し、前記血液は、前記反応レイヤでは、側方流れに移動し、
前記下部突出部は、前記測定レイヤの下面を平らに圧着させ、
前記測定レイヤを挟んで、前記上部カバーと前記下部カバーとを互いに圧着することによって、前記下部突出部が、前記測定レイヤを上向きに圧着させて、前記測定レイヤの上面が上向きに曲がった、バイオセンサー。
【請求項２】
前記測定レイヤは、前記生体試料との反応を通じて変色される請求項１に記載のバイオセンサー。
【請求項３】
前記生体試料は、血液であり、
前記測定レイヤは、
注入される血液を拡散させる拡散レイヤと、
前記拡散された血液から血清のみを分離する分離レイヤと、
前記分離された血清との反応に応じて、色変化を起こす発色試薬が塗布された反応レイヤと、を含む請求項１に記載のバイオセンサー。
【請求項４】
前記拡散レイヤは、
前記分離レイヤの上部に位置する第１拡散レイヤと、
前記分離レイヤと前記反応レイヤとの間に位置した第２拡散レイヤと、を含む請求項３に記載のバイオセンサー。
【請求項５】
前記分離レイヤは、ガラス纎維、ポリエステル、ニトロセルロース、ポリスルホン酸塩のうち少なくとも一つを含む請求項３に記載のバイオセンサー。
【請求項６】
前記下部開放ウィンドウと前記上部開放ウィンドウは、大きさと位置とが互いに正確に対応する請求項１ないし請求項５のうち何れか一項に記載のバイオセンサー。
【請求項７】
前記下部突出部と前記上部突出部は、互いに近接して挿入されている請求項１ないし請求項５のうち何れか一項に記載のバイオセンサー。
【請求項８】
前記下部突出部と前記上部突出部は、ギャップを有した状態で互いに挿入されている請求項１ないし請求項５のうち何れか一項に記載のバイオセンサー。
【請求項９】
前記血液収容レイヤは、
血液を拡散させる拡散レイヤと、
血液から赤血球を分離する分離レイヤと、を含む請求項１に記載のバイオセンサー。
【請求項１０】
前記反応レイヤは、分析物と反応する場合に発色する発色試薬を含む請求項１に記載のバイオセンサー。
【発明の詳細な説明】
【技術分野】
【０００１】
本発明は、生体試料、特に、血液の生体データを測定するためのバイオセンサーに関する。
【背景技術】
【０００２】
血液のような生体試料内に存在する分析物質を定量分析または定性分析することは、化学的にも臨床学的にも重要である。多様な成人病の要因となるコレステロールを測定するか、糖尿病患者のために血液内の血糖を測定することなどが、その代表的な例である。コレステロール、血糖のような生体データを測定するための技術として、測定ストリップに、例えば、血液のような生体試料を落とし、反応領域での酵素反応の結果として表われる色変化あるいは電気化学的変化を検出することなどが広く知られている。
【０００３】
このために、生体試料に含まれた分析物質を測定するための測定ストリップ、すなわち、バイオセンサーに関する技術が提案されている。例えば、血液内の血糖を測定しようとする場合、バイオセンサーは、採取された血液から電気化学的な方法で血糖量を測定することができる。しかし、血液を含んだ生体試料の採取は、採取される人に苦痛を与える行為であるので、その苦痛を減らすために、測定に必要な生体試料の量を最小化することが要求される。
【０００４】
ところで、この際、一般的な光学センサーで血液量の不足は、分析結果値に大きな影響を及ぼすために、測定ストリップの測定レイヤに一定量以上の血液をローディングさせることが重要である。血球容積は、人によって２０〜６０％以上まで差があり、これにより、同じ量の血液を注入したとしても、最終反応レイヤに到逹する血球分離された血清量には差が発生する。
【発明の概要】
【発明が解決しようとする課題】
【０００５】
本発明は、このような背景から導出されたものであって、測定に必要な生体試料の量を最小化すると同時に、最終反応レイヤに到逹する血清量の偏差を最小化することができるバイオセンサーを提供することを目的とする。
【課題を解決するための手段】
【０００６】
前記技術的課題は、以下のような特徴を有する生体データを測定するためのバイオセンサーによって解決されうる。このバイオセンサーは、その内部に生体試料が注入され、前記生体試料と反応して、前記生体試料の生体データを測定するための測定レイヤを含む。また、前記測定レイヤの下面下に位置し、前記生体試料の反応データを測定するための測定領域として露出された下部開放ウィンドウ（ｏｐｅｎｉｎｇ  ｗｉｎｄｏｗ）を備え、前記下部開放ウィンドウの周辺領域から上向き突出した下部突出部を備えた下部カバーを含む。また、前記測定レイヤの上面上に位置し、前記生体試料が注入されるように露出された上部開放ウィンドウを備え、前記上部開放ウィンドウから前記下部突出部に対応する領域を越えて離れた位置から下向き突出した上部突出部を備えた上部カバーを含む。ここで、前記測定レイヤを挟んで、前記上部カバーと前記下部カバーとを互いに圧着することによって、前記測定レイヤの上面と上部カバーの下面と、前記上部突出部によって毛細管空間（ｃａｐｉｌｌａｒｙ  ｇａｐ）が形成される。このような特徴によって、前記課題が解決される原理は、以下で詳細に説明される。
【発明の効果】
【０００７】
本発明によれば、測定に必要な生体試料の量を最小化することができるバイオセンサーが提供される。
【０００８】
また、反応領域に到達する血清量の偏差を最小化して、赤血球容積による測定偏差を最小化することによって、反応結果をより正確に表わすことができるバイオセンサーを提供することができる。
【図面の簡単な説明】
【０００９】
【図１】本発明の一実施例によるバイオセンサーの構成図である。
【図２】本発明の一実施例によるバイオセンサーの測定レイヤを具体的に示す例示図である。
【図３】本発明の一実施例によるバイオセンサーの測定レイヤを具体的に示す例示図である。
【図４】本発明の一実施例による結合状態のバイオセンサーの構成図である。
【図５】バイオセンサーで注入された生体試料サンプルの流れを示す例示図である。
【図６】経時的な生体試料サンプルの注入状態を示す例示図である。
【図７】経時的な生体試料サンプルの注入状態を示す例示図である。
【図８】経時的な生体試料サンプルの注入状態を示す例示図である。
【発明を実施するための形態】
【００１０】
前述した、そして、追加的な本発明の態様は、添付された図面を参照して説明される望ましい実施例を通じてより明確になる。以下、本発明を、このような実施例を通じて、当業者が容易に理解し、再現できるように詳しく説明する。
【００１１】
図１は、本発明の一実施例によるバイオセンサーの構成図である。
【００１２】
示したように、本発明の一実施例によるバイオセンサーは、測定レイヤ２０、上部カバー１０、及び下部基板３０を含む。
【００１３】
測定レイヤ２０は、生体試料との反応データを測定のためのものであって、生体試料と反応して、色の変化あるいは電気化学的変化を起こす。
【００１４】
上部カバー１０は、開放ウィンドウ１２を含む。本実施例において、上部カバー１０は、開放ウィンドウ１２の外郭から一定距離離れて下部基板方向に突出して、下部基板３０との間に備えられる測定レイヤを下向き方向に圧着する上部突出部１５を含む。さらに具体的に説明すれば、上部カバー１０は、前記測定レイヤの上面上に位置し、前記生体試料が注入されるように露出された上部開放ウィンドウ１２を備え、前記上部開放ウィンドウ１２から下部突出部３５（以下で説明される）に対応する領域を越えて離れた位置から下向き突出した上部突出部１５を備えている。
【００１５】
下部基板３０は、上部カバーの開放ウィンドウ１２のフレームに対応して開放ウィンドウ１２と上部突出部１５との間に突出する下部突出部３５を含む。本実施例において、下部突出部３５は、上部カバー１０と下部基板３０との結合時に、その間の測定レイヤ２０の上部が、上部カバー１０の開放ウィンドウ１２に上向き突出し、測定レイヤの下部は、平らに圧着するためのものである。下部突出部３５のサイズ及び長さは、上部カバー１０の開放ウィンドウ１２によって決定されることが望ましい。下部突出部３５の突出程度を一定にすることによって、測定レイヤの下部は平らに圧着されうる。補充すると、下部基板３０は、前記測定レイヤの下面下に位置し、前記生体試料の反応データを測定するための測定領域として露出された下部開放ウィンドウを備え、前記下部開放ウィンドウの周辺領域から上向き突出した下部突出部３５を備えている。
【００１６】
一実施例において、上部カバー１０の上部突出部１５と下部基板３０の下部突出部３５は、その突出程度が異なる。例えば、上部突出部１５は、４ｍｍ、下部突出部３５は、３ｍｍ突出する。しかし、これに限定されるものではない。
【００１７】
本実施例において、上部カバー１０の上部突出部１５と下部基板３０の下部突出部３５が、互いに交差によって測定レイヤの上部は、上部カバー１０の開放ウィンドウ１２に凸状に上向き突出し、測定レイヤの下部は、平らになる。なによりも、前記測定レイヤ２０を挟んで、前記上部カバー１０と前記下部カバー３０とを互いに圧着することによって、前記測定レイヤ２０の上面と上部カバー１０の下面と、前記上部突出部１５０によって毛細管空間が形成される。このような毛細管空間の存在によって、開放ウィンドウ１２に注入された血液は、図６及び図７に示したように、まず測定レイヤ２０の両端部に多量の血液が迅速に流れる。
【００１８】
図２及び図３は、本発明の一実施例によるバイオセンサーの測定レイヤを具体的に示す例示図である。
【００１９】
図２に示したように、本発明の一実施例による測定レイヤは、拡散レイヤ２２、分離レイヤ２４、及び反応レイヤ２６が積層された形態で具現される。
【００２０】
具体的に、拡散レイヤ２２は、図３に示したように、分離レイヤ２４の上部の第１拡散レイヤ２２ａと分離レイヤ２４の下部の第２拡散レイヤ２２ｂとを含みうる。すなわち、拡散レイヤ２２が、少なくとも一つのレイヤとして具現されて、他のレイヤの間に備えられうる。
【００２１】
第１拡散レイヤ２２ａは、注入される血液あるいは血清のような生体試料を迅速かつ均一に拡散させる。本実施例において、第１拡散レイヤ２２ａは、例えば、ポリエステル（ｐｏｌｙｅｓｔｅｒ）や木綿（ｃｏｔｔｏｎ）のような織造物質（ｗｏｖｅｎ  ｍａｔｅｒｉａｌ）あるいはファブリック（ｆａｂｒｉｃ）、ガーゼ（ｇａｕｚｅ）、モノフィラメント（Ｍｏｎｏｆｉｌａｍｅｎｔ）のような不織布物質（ｎｏｎ−ｗｏｖｅｎ  ｆａｂｒｉｃ）であり得る。
【００２２】
分離レイヤ２４は、第１拡散レイヤ２２ａの下端に備えられ、第１拡散レイヤ２２ａで拡散される生体試料、すなわち、血液から赤血球（ｅｒｙｔｈｒｏｃｙｔｅｓ）などの血球を分離する。一実施例において、血液は、血球と血清とに分離される。血球は、赤血球・白血球のような固体成分になっており、血清は、黄色液体で構成されている。血球は、抗原（凝集原）として、血清は、抗体（凝集素）として作用する。垂直型フロー（ｖｅｒｔｉｃａｌ  ｆｌｏｗ）方式のバイオセンサーは、先に注入される血液から血球を分離する。そして、反応領域（または、測定領域）で血清との反応結果を観察することによって、分析物質の分析結果を確認することができる。
【００２３】
本実施例において、分離レイヤ２４は、実験的に全体赤血球の約８０〜９０％をフィルタリングすることができる。一実施例において、分離レイヤ２４は、ガラス纎維を含むパッド形態で具現可能である。しかし、これに限定されず、分離レイヤ２４は、ポリエステル（Ｐｏｌｙｅｓｔｅｒ）、ニトロセルロース（Ｎｉｔｒｏｃｅｌｌｕｌｏｓｅ）、ポリスルホン酸塩（Ｐｏｌｙ−ｓｕｌｆｏｎａｔｅ）材のパッドとして具現されることもある。
【００２４】
第２拡散レイヤ２２ｂは、分離レイヤ２４で血球の一部が分離された生体試料の拡散が迅速かつ均一になされるようにして、その下端に備えられる反応レイヤ２６への吸収を迅速かつ均一にする。本実施例において、第２拡散レイヤ２２ｂは、第１拡散レイヤ２２ａと同じ構成あるいは異なる構成で具現可能である。
【００２５】
一実施例において、追加的に、第２拡散レイヤ２２ｂと反応レイヤ２６との間に微細分離レイヤをさらに含みうる。この微細分離レイヤは、第１拡散レイヤ２２ｂの下部に備えられ、本実施例において、具体的に、ガラス微細繊維（ｇｌａｓｓ  ｍｉｃｒｏｆｉｂｅｒ）、セルロース繊維（ｃｅｌｌｕｌｉｓｅ  ｆｉｂｅｒ）、合成ステープル繊維（ｓｙｎｔｈｅｔｉｃ  ｓｔａｐｌｅ  ｆｉｂｅｒ）を含む。この際、ガラス微細纎維は、直径０．３〜０．７μｍ、密度約０．１ｇ／ｃｍ３以下のガラス纎維で具現される。追加微細分離レイヤは、分離レイヤ２４でまだフィルタリングされなかった残りの血球を分離することができる。
【００２６】
反応レイヤ２６は、第２拡散レイヤ２２ｂあるいは追加分離レイヤの下部に備えられる。本実施例において、反応レイヤ２６は、乾性化学剤（ｄｒｙ  ｃｈｅｍｉｃａｌｓ）と反応物質（ｒｅａｃｔａｎｔ）とを含んで、コレステロールなどと反応して色変化を起こす。
【００２７】
本実施例において、測定レイヤの構成は、これに限定されず、多様な変形例を含みうる。例えば、生体試料サンプルの吸収率あるいはレイヤの間の相互伝達速度をより向上させるために、レイヤの間に付加的なレイヤをさらに含むことが可能である。具体的に、拡散レイヤをレイヤの間に挿入して、拡散がより迅速になされるようにする。
【００２８】
図４は、本発明の一実施例による結合状態のバイオセンサー構成図であり、図５は、バイオセンサーで注入された生体試料サンプルの流れを示す例示図である。
【００２９】
図４に示したように、一つ以上のレイヤが積層された測定レイヤが、互いに交差ように形成された上部突設部１５と下部突設部３５とによって圧着されるために、測定レイヤの上端部は、上向き突出しており、下端部は、平らになる。このように、測定レイヤの上端部は、凸状であり、下端部は、平らに圧着されることによって、上端部では、血液のような生体試料サンプルの吸収に有利であり、下端部では、注入された生体試料サンプルの均一性を確保することができる構造を提供することができる。このような効果は、測定レイヤの凸状の形態でだけではなく、前記測定レイヤの上面と上部カバーの下面と、前記上部突出部によって形成された毛細管空間によってより著しくなる。
【００３０】
まず、このような構造で上部カバーの開放ウィンドウを通じて最小血液が注入される場合、測定レイヤの凸状の形態及び前述した毛細管空間によって、上部開放ウィンドウの先端側（または、上部開放ウィンドウの最外郭領域）に相対的に多量の血液がローディングされる。そして、徐々に垂直型フローが進行して反応レイヤ内に均一に水平流れにローディングされる。反応レイヤの反応領域（または、測定領域）内で水平フローが終了すれば、余分の試料サンプルがこれ以上反応領域内に付加されず、余分の試料サンプルが外部側に流れる。
【００３１】
また、図５に示したように、上部開放ウィンドウの先端領域（または、上部開放ウィンドウの最外郭領域）では、測定レイヤの下端部に吸収される試料サンプルの流れＦｌと外に抜け出る試料サンプルの流れＦ２とが同時に存在する。また、測定レイヤの上部が凸状の形態であるために、垂直型フローがさらに大きく発生する。測定レイヤの反応領域（または、測定領域）に生体試料フローが進行してあらゆる表面に吸収される時点では、これ以上測定レイヤの下端部への試料サンプルの流れＦｌが発生せず、外に抜け出る流れＦ２のみ存在する。すなわち、反応領域内に注入される試料の量は、赤血球容積と無関係に一定量のみローディングされうる。
【００３２】
一実施例において、バイオセンサーの反応レイヤ全体ではない開放ウィンドウに対応する、例えば、半径３ｍｍ程度の測定領域にのみサンプルがローディングされても測定が可能である。本発明によるバイオセンサーの場合には、生体試料サンプルを１０μｌ〜４μｌ程度の少量のみ注入しても、反応レイヤの測定領域内で反応変化を表わすのに十分な量の試料サンプルが注入されうる。
【００３３】
ところで、前述したように、血液に含まれる血球容積は、人によって２０〜６０％以上まで大きな差がある。すなわち、同じ量の血液を注入しても、最終反応レイヤに到逹する血球分離された血清量には、差が発生する。したがって、本発明の一実施例によるバイオセンサーに注入される生体試料サンプルの容量は、血液内の血清比率が低い人を基準に定められることが望ましい。血清比率が高い人の場合には、反応レイヤに吸収され、残ったほどオーバーフローさせることができるために、血清の比率が低い人を基準に定めることによって、反応領域内に十分に試料サンプルが注入されうる。
【００３４】
図４から分かるように、多数のレイヤが積層された測定レイヤ２０は、上向き突出部１５と下向き突設部３５とが互いに交差する部分で圧着されるために、開放ウィンドウ１２に注入される血液の水平流れを最小化させることができる。なによりも、前記測定レイヤの上面と上部カバーの下面と、前記上部突出部によって形成された毛細管空間によって、血液が収容される領域の側端部（上部血液印加開放ウィンドウの最外郭領域）での血液流れが加重されて迅速になる。
【００３５】
この際、上部突出部１５と下部突出部３５とが互いに交差する地点（Ａ）で注入された生体試料の流れは、反応レイヤ２６に到逹する前までは、垂直下向き方向に流れ、反応レイヤに到逹した後には、反応レイヤ２６内では下部開放ウィンドウの中心領域に向けて水平に移動する。
【００３６】
すなわち、垂直型フローによって反応レイヤ２６に到逹した血球分離された血清は、反応レイヤ２６の内部では水平流れに移動し、特に、上部突設部と下部突設部とが交差する部分（Ａ）で圧着された状態であるために、血清が外部に抜け出る流れより反応領域（または、測定領域）の内部側への水平流れがさらに容易になる。
【００３７】
言わば、上部突出部と下部突出部との交差する結合によって、上部開放ウィンドウの中央部分（Ｂ）で測定レイヤ２０の上端部は上に凸状の形態になる。また、前記測定レイヤを挟んで、前記上部カバーと前記下部カバーとを互いに圧着することによって、前記測定レイヤの上面と上部カバーの下面と、前記上部突出部によって毛細管空間が形成される。また、測定レイヤ２０の下端部、すなわち、反応レイヤ２６は、平らに圧着される。このような構成によって、反応レイヤ２６内で水平流れに吸収された血清の均一性を確保することができる。
【００３８】
図６ないし図８は、経時的な生体試料サンプルの注入状態を示す例示図である。
【００３９】
まず、バイオセンサーで反応を観察するために、開放ウィンドウ１２に血液のような生体試料を落とす。時間が或る程度経ていない試料注入初期には、図６に示したように上部開放ウィンドウの先端領域（上部開放ウィンドウの最外郭領域）５−１では、垂直流れが強く表われる。その理由は、前述したような毛細管空間が形成されて毛細管現象がこの部分で存在するためである。また、測定レイヤが、上部カバーの上部突出部と下部基板の下部突出部とによって中央部が上向き凸状の構造で圧縮されるために、開放ウィンドウの先端で垂直方向の流速をさらに迅速にする効果がある。一方、両先端の垂直流れが強いものに比べて相対的に測定領域の中央部５−２では、少量の垂直流れが発生する。
【００４０】
初期に開放ウィンドウ１２の先端領域６−１側に吸収された生体試料サンプルは、水平方向にはほとんど進行することができない。そうして或る程度時間が経てば、図７に示したように、開放ウィンドウの先端領域から垂直流れに沿って反応レイヤ２６まで到逹した以後には、次第に反応レイヤ２６の中央方向と、外部方向に広がるように水平移動を行う。この際、構造上、反応領域の外部方向への流れよりは、反応領域の中央方向への進行がさらに強くなされる。
【００４１】
この際、開放ウィンドウの中央領域６−２の試料の垂直流れは、持続的に弱く起こる。したがって、中央領域の試料も垂直流れによって測定レイヤの最下端の反応レイヤまで到逹する。しかし、上部血液印加開放ウィンドウの最外郭領域で先に垂直流れで血液が反応レイヤに到逹し、引き続き、この血液が水平流れで反応レイヤ内で移動する。したがって、反応レイヤに濡らされる生体試料のほとんどは、反応レイヤで水平流れで移動したものである。
【００４２】
一方、上部突設部と下部突設部とがずれた隙間の間の領域６−３の測定レイヤには、最も多量の試料が到達する。したがって、測定レイヤの最下端に位置する反応レイヤで水平流れが最も先に起こる。そして、試料の一部は、測定領域の外部方向６−４に流れる。
【００４３】
時間がさらに経過すれば、図８に示したように、主に両先端の領域から反応領域の中央側に進行する試料の流れによって、強くはないが、垂直流れによって最下端の反応レイヤに到逹する試料によって、反応レイヤが飽和状態になり、反応レイヤ内から反応領域の中央側への水平流れが止められる。
【００４４】
反応レイヤから反応領域の中央部側への流れるが止められれば、反応レイヤの外部への水平流れが増加し、次第に余分の試料は測定領域の外部７−１に抜け出る。これにより、測定領域の反応レイヤに蓄積７−２される試料の量は、一定に保持されうる。同時に、反応レイヤ全体ではない、測定領域の一実施例においては、直径３ｍｍ内にのみ生体試料がローディングされても測定が可能である。したがって、約１０μｌ〜４μｌ程度の少量の血液のような生体試料のみでも、反応測定が可能なバイオセンサーを提供することができる。
【００４５】
以上、本発明について望ましい実施例を中心に説明した。当業者ならば、本発明が、本発明の本質的な特性から外れない範囲で変形された形態として具現可能であるということを理解できるであろう。したがって、開示された実施例は、限定的な観点ではなく、説明的な観点で考慮されなければならない。本発明の範囲は、特許請求の範囲に示されており、それと同等な範囲内にあるあらゆる差異点は、本発明に含まれたものと解析しなければならない。
【００４６】
一方、本発明は、次のような技術的構成を含んでいることを、本発明の詳細な説明及び図面を参考にすることによって、容易に把握することができる。すなわち、血液を収容して血液内の分析物を分析するバイオセンサーは、血液を収容する血液収容レイヤと、収容された血液内の分析物と反応する反応レイヤと、前記血液収容レイヤ上に位置し、血液を印加する血液印加開放ウィンドウを含む上部基板と、前記反応レイヤ下に位置し、分析物との反応を測定するための測定開放ウィンドを含む下部基板とを含み、前記血液は、前記血液収容レイヤでは、主に垂直流れ（ｖεｒｔｉｃａｌ  ｆｌｏｗ）で移動し、前記血液は、前記反応レイヤでは、実質的に側方流れ（ｌａｔｅｒａｌ  ｆｌｏｗ）で移動する。
【００４７】
具体的に、血液の前記血液収容レイヤでの垂直流れは、前記血液収容開放ウィンドウの最外郭領域に対応する領域で先に多発し（図６及び図７参照）、前記血液収容開放ウィンドウの最外郭領域に対応する領域で垂直に前記反応レイヤに到達した血液は、前記反応レイヤでは、前記測定開放ウィンドウの中心領域に向けて水平に流れる（図７及び図８参照）。
【００４８】
また、当業者であれば、前記下部開放ウィンドウとー前記上部開放ウィンドウは、大きさと位置とを互いに正確に対応させる構成も可能である。また、前記下部突出部と前記上部突設部は、互いにギャップなしに正確に噛み合うように交差させる構成も可能である。また、前記下部突出部と前記上部突出部は、互いにギャップ（ｇａｐ）を有しながら、交差させる構成も可能である。例えば、図６ないし図８では、下部突設部と上部突設部とがギャップを有して交差しているように構成されており、下部開放ウィンドウと前記開放ウィンドウの位置と大きさは、互いに正確には対応していない。
【００４９】
最後に、本発明の構成及び効果を要約すれば、測定レイヤの上面と上部カバーの下面と、上部突設部によって毛細管空間が形成され、下部突出部が、測定レイヤを上向きに圧着させて測定レイヤの上面が上向きに曲がるようになり、下部突出部は、測定レイヤの下面を平らに圧着させる。このような構成によって、図６ないし図８から分かるように、血液印加上部開放ウィンドウの最外郭領域で血液が集中的に垂直に流れ、引き続き、測定レイヤの最下端領域である反応レイヤに到逹した後には、この反応領域の中央部分に向けて水平に流れる。これにより、ほとんどの血液が垂直に流れて反応レイヤに到逹する既存のバイオセンサーに比べて、測定に必要な生体試料の量を最小化し、反応領域に到逹する血清量の偏差を最小化して、赤血球容積による測定偏差を最小化することによって、反応結果をより正確に表わすことができるバイオセンサーが提供される。
【００５０】
参考までに、本明細書では、“測定領域”と“反応領域”とを混用して記載したが、データ測定の次元では、測定領域と、試料反応の次元では、反応領域と記載しており、実質的に、この両領域は、同じ領域を意味する。
【図１】
0005685585.tif 000002
【図２】
0005685585.tif 000003
【図３】
0005685585.tif 000004
【図４】
0005685585.tif 000005
【図５】
0005685585.tif 000006
【図６】
0005685585.tif 000007
【図７】
0005685585.tif 000008
【図８】
0005685585.tif 000009